(57)【要約】  【課題】一般的な加工処理のみによって、バール等によるこじ開けによっても容易に解錠されない堅固なクレセント錠を得る。  【解決手段】クレセント受け金具８は、略方形金属板の内部が切り抜かれ、先端側枠片部８Ｄ、上部枠片部８Ｅおよび下部枠片部８Ｆを有し、前記先端側枠片部８Ｄの内側辺に前記クレセント７に係合するフック部８Ｇが形成されるとともに、該フック部８Ｇは室内側に起立する基端リブ８ｂと、この基端リブ８ｂの先端からクレセント側に屈曲する先端リブ８ａとからなり、前記基端リブ８ｂは先端側枠片部８Ｄとの交差角が鈍角となる方向に傾斜しているとともに、室内外方向に対する傾斜角が１０°以上とされる。【選択図】  図３
2005113567.tif 000002
【特許請求の範囲】
【請求項１】
回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺に前記クレセントに係合するフック部が形成されるとともに、該フック部は室内側に起立する基端リブと、この基端リブの先端からクレセント側に屈曲する先端リブとからなり、前記基端リブは先端側枠片部との交差角が鈍角となる方向に傾斜しているとともに、室内外方向に対する傾斜角が１０°以上であることを特徴とするクレセント錠。
【請求項２】
前記基端リブと、先端リブとのクレセント接触面側屈曲部分において、基端リブと先端リブとに亘る区間に弧面状のすりつけ部を形成してある請求項１記載のクレセント錠。
【請求項３】
前記先端側枠片部の内側辺に対して、前記基端リブのクレセント接触面がわ側縁の起立点を一致若しくは近接させてある請求項１，２いずれかに記載のクレセント錠。
【請求項４】
前記先端側枠片部の外側辺に断面略Ｌ字状に屈曲する補強用起立リブが形成されている請求項１〜３いずれかに記載のクレセント錠。
【請求項５】
前記上部枠片部および下部枠片部の面にそれぞれ部材長手方向に沿って凹凸による平面リブが形成され、前記補強用起立リブが先端側枠片部の上部領域及び下部領域まで延長して形成されるとともに、前記平面リブが先端側枠片部側に連続して形成され、前記先端側枠片部の上部領域及び下部領域において、前記補強用起立リブと平面リブとがそれぞれ重なり代をもって形成されている請求項４記載のクレセント錠。
【発明の詳細な説明】
【技術分野】
【０００１】
本発明は、バール等によるこじ開けによっても容易に解錠されないクレセント錠に関する。
【背景技術】
【０００２】
従来より、引き違い窓等のサッシ用施錠装置としてクレセント錠が知られている。このクレセント錠は、図６に示されるように、室内障子５４の縦框に取り付けられるベース金物５１と、このベース金物５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（下記特許文献１等を参照）。
【特許文献１】特開平１１−９３４８８号公報
【発明の開示】
【発明が解決しようとする課題】
【０００３】
しかしながら、前記クレセント受け金具５６は、図７(A)(B)に示されるように、所定形状に裁断した薄板を曲げ加工した金具を使用しているため、障子の召合せ框部分にバールなどを差し込んで強引に障子の開方向に力を加えると、図８に示されるように、クレセント受け金具５６のフック部分５６ａが外側に大きく変形してクレセント５２から外れ、障子がこじ開けられてしまうことがあった。
【０００４】
一方で、納まりに制限の無い部材であれば、厚みを大きくしたり補強リブを形成するなどの一般的な剛性を増す処理や加工を施すことにより変形し難い構造とすることが可能であるけれども、クレセント受け金具の場合には、室内外面に隣接する障子が互いに開閉されるため、所定の厚み内で処理しなければならない等の制約があるとともに、製作コストの点からも加工が単純で済むことが強く要求される。
【０００５】
そこで本発明の主たる課題は、一般的な加工処理のみによって、バール等によるこじ開けによっても容易に解錠されない堅固なクレセント錠を提供することにある。
【課題を解決するための手段】
【０００６】
前記課題を解決するために請求項１に係る本発明として、回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺に前記クレセントに係合するフック部が形成されるとともに、該フック部は室内側に起立する基端リブと、この基端リブの先端からクレセント側に屈曲する先端リブとからなり、前記基端リブは先端側枠片部との交差角が鈍角となる方向に傾斜しているとともに、室内外方向に対する傾斜角が１０°以上であることを特徴とするクレセント錠が提供される。
【０００７】
上記請求項１記載のクレセント錠においては、フック部を構成する基端リブが先端側枠片部との交差角が鈍角となる方向に傾斜しているとともに、その傾斜角が室内外方向に対して１０°以上となるように構成されている。したがって、図４に示されるように、クレセントを係合させた施錠状態で障子がバール等によってこじ開けられようとした場合、クレセントが前記基端リブに当接すると、基端リブの傾斜面によって室外方向の分力が発生し、この分力によってクレセントとの接触点Ｐは基端リブの傾斜面に沿って室外側に引き寄せられ、加力点が基部側に移行することによって、フック部が受ける曲げモーメントを著しく減少させることが可能となる。その結果、フック部の変形を防止できるようになり、バール等によるこじ開けによっても容易に解錠されないクレセント錠とすることが可能となる。前記基端リブの傾斜角θは、少なくとも１０°以上、好ましくは１３°以上、より好ましくは１５°以上とされる。傾斜角θが１０°未満である場合には、室外方向の分力が小さすぎて、室内障子２を室外側に効果的に引寄せすることができない。
【０００８】
また、上記加工がフック部の曲げ加工に当たり、起立リブの起立方向を変更するだけで足りるため、一般的加工処理の範囲内で行うことができる。
【０００９】
請求項２に係る本発明として、前記基端リブと、先端リブとのクレセント接触面側屈曲部分において、基端リブと先端リブとに亘る区間に弧面状のすりつけ部を形成してある請求項１記載のクレセント錠が提供される。
【００１０】
請求項３に係る本発明として、前記先端側枠片部の内側辺に対して、前記基端リブのクレセント接触面がわ側縁の起立点を一致若しくは近接させてある請求項１，２いずれかに記載のクレセント錠が提供される。
【００１１】
請求項４に係る本発明として、前記先端側枠片部の外側辺に断面略Ｌ字状に屈曲する補強用起立リブが形成されている請求項１〜３いずれかに記載のクレセント錠が提供される。
【００１２】
請求項５に係る本発明として、前記上部枠片部および下部枠片部の面にそれぞれ部材長手方向に沿って凹凸による平面リブが形成され、前記補強用起立リブが先端側枠片部の上部領域及び下部領域まで延長して形成されるとともに、前記平面リブが先端側枠片部側に連続して形成され、前記先端側枠片部の上部領域及び下部領域において、前記補強用起立リブと平面リブとがそれぞれ重なり代をもって形成されている請求項４記載のクレセント錠が提供される。
【発明の効果】
【００１３】
以上詳説のとおり本発明によれば、一般的な加工処理によって、バール等によるこじ開けによっても容易に解錠されない堅固なクレセント錠を得ることができる。
【発明を実施するための最良の形態】
【００１４】
以下、本発明の実施の形態について図面を参照しながら詳述する。
図１は本発明に係るクレセント錠１の斜視図、図２はクレセント受け金具８の側面図及び正面図、図３はその平面図である。
【００１５】
クレセント錠１は、図１に示されるように、室内障子２の縦框に取り付けられるベース金物５と、このベース金物５に対してクレセント軸６を介して回動自在に取り付けられたクレセント７とからなる施錠側金物４と、室外障子３に取り付けられ、前記クレセント７が係合するためのフック部８Ｇを備えたクレセント受け金具８とから構成される。
【００１６】
そして、前記クレセント７に一体的に形成された操作レバー７Ａを摘み、クレセント７をほぼ１８０度範囲で回動させることにより、クレセント７の周囲に形成された、壁高を漸次テーパー状に変化させた環状周壁７Ｂが前記クレセント受け金具８に形成されたＬ字状のフック部８Ｇに対して係脱し、窓の施錠または解錠が成されるようになっている。
【００１７】
本発明では特に、バールなどにより障子が強引にこじ開けられ家屋に侵入される強盗事件が多発している事情に鑑み、前記クレセント受け金具８のフック部８Ｇが大きな力を受けても容易に変形しないようにした。以下、具体的に図２及び図３に基づいて詳述する。
【００１８】
クレセント受け金具８は、略方形金属板の加工によって成形される部材であり、図２に示されるように、ビス孔８ｃ、８ｃが形成された室外障子３に対する固定部８Ａと、クレセント７が係合するためのフック部８Ｇが形成されたブラケット部８Ｂとから構成されている。
【００１９】
前記固定部８Ａとブラケット部８Ｂとの境界部には図３に示されるように、ブラケット部８Ｂが室外側に偏倚するように段差部８Ｃが形成され、室外障子３に取り付けられた状態で、フック部８Ｇ及び後述の補強用起立リブ８ｈが室内障子２に接触又は衝突しないようになっている。
【００２０】
前記ブラケット部８Ｂにおいては、内部が切り抜かれ、この切り抜き部を囲むように先端側枠片部８Ｄ、上部枠片部８Ｅおよび下部枠片部８Ｆとが夫々形成され、前記先端側枠片部８Ｄの内側辺に連続して前記クレセント７に係合するフック部８Ｇが形成されているとともに、外側辺に連続して断面略Ｌ字状に屈曲する補強用起立リブ８ｈが形成され、かつ前記上部枠片部８Ｅおよび下部枠片部８Ｆの面にそれぞれ、部材長手方向に沿ってプレス加工によって与えられた凹凸による平面リブ８ｅ、８ｆが形成されている。
【００２１】
前記フック部８Ｇは、従来のクレセント受けと同様に、先端側枠片部８Ｄの内側辺から連続しかつ室内側に起立する基端リブ８ｂと、この基端リブ８ｂの先端から連続しかつクレセント側に屈曲する先端リブ８ａとから構成されるが、図３に示されるように、前記基端リブ８ｂは先端側枠片部８Ｄとの交差角が鈍角となる方向に傾斜しているとともに、その室内外方向に対する傾斜角θが１０°以上とされる。
【００２２】
以下、図４(A)〜(C)に基づいて、前記基端リブ８ｂを傾斜させる理由について詳述する。
【００２３】
先ず、図４(A)は障子の施錠状態を示すクレセントの係合状態を示す図である。この状態からバール等による障子のこじ開けによって、室内障子２に開方向の力Ｆが発生した場合を考える。この開方向力Ｆは、クレセント７とフック部８Ｇとの接触点を加力点Ｐとしてフック部８Ｇに作用する。
【００２４】
開方向力Ｆが室内障子に作用すると、室内障子２が開方向に移動され、図４(B)に示されるように、加力点Ｐが起立リブ８ｂと先端リブ８ａとの境界点に至り、少しでも境界点を越えると、すなわち基端リブ８ｂの傾斜面にクレセント７の接触点が乗り上がると、前記傾斜面によって室外方向分力ＦＶが発生するため、室内障子２は室外側方向に引き寄せられ、加力点Ｐはフック部８Ｇの基端側に移動する。
【００２５】
その結果、図４(C)に示されるように、加力点Ｐが基端リブ８ｂの基端側に移動するようになると、フック部８Ｇに作用する曲げモーメントは著しく低減されることとなり（開方向力Ｆは同じであるが、アーム長が短くなる。）、フック部８Ｇに変形は起こらず、室内障子２は開かれることが無くなる。また、室内障子２が図４(C)に示される状態よりもさらに開かれたとしても、フック部８Ｇはクレセント７よりも室内側に入り込むことになり、障子は完全に開操作できなくなるため、屋内への侵入を確実に防止することができる。
【００２６】
なお、上記例は室内障子２に開方向の力を加えた場合であるが、室外障子３に開方向の力を加えた場合でも同様である。
【００２７】
ところで、前記クレセント受け金具８においては、図２(B)に示されるように、前記先端側枠片部８Ｄの内側辺８ｉに対して、前記基端リブ８ｂのクレセント接触面がわ側縁の起立点Ｋを一致若しくは近接させるようにしている。加力点Ｐが基端リブ８ｂの傾斜面内でスライドしている場合は良いが、従来のクレセント受け金具のように内側辺と基端リブの起立点とに段差がある場合（図７(B)参照）には、加力点Ｐが基端リブ８ｂの傾斜面を乗り越えると前記段部に係合し、障子が元に戻らない若しくは戻しづらくなる場合があるため、前記基端リブ８ｂのクレセント接触面がわ側縁の起立点Ｋを一致若しくは近接させることにより、加力点Ｐが基端リブ８ｂの傾斜面を越えた場合でも、その後に障子が元の状態に戻り易いようにしておくのが望ましい。
【００２８】
一方、前記先端側枠片部８Ｄの外側辺に形成された前記補強用起立リブ８ｈは、図２に示されるように、先端側枠片部８Ｄの上部領域及び下部領域まで延長して形成されているとともに、前記平面リブ８ｅ、８ｆが先端側枠片側８Ｄ側に連続して形成され、前記先端側枠片８Ｄの上部領域及び下部領域において、前記補強用起立リブ８ｈと平面リブ８ｅ、８ｆとが重なり代Ｓ、Ｓをもって共に形成されている。
【００２９】
なお、図示例では前記先端側枠片部８Ｄの中央部において、フック部８Ｇと補強用起立リブ８ｈとの間にも水平方向（幅方向）に沿って凹凸による平面リブ８ｇが形成されている。
【００３０】
前記補強用起立リブ８ｈ、平面リブ８ｅ、８ｆを有しない従来形状のクレセント受け金具（図７(B)参照）の場合、障子２，３をバールによりこじ開け前記フック部８Ｇに過度の力Ｆを加えると、前記フック部８Ｇのみが大きく変形するのではなく、上部枠片部８Ｅおよび下部枠片部８Ｆが曲げ変形を受けると同時に、先端側枠片部８Ｄの上部領域及び下部領域が捻れるように変形しフック部８Ｇがクレセント７の環状周壁７Ｂから外れることが実験により明らかとなった。
【００３１】
本クレセント錠１では、前記上部枠片部８Ｅおよび下部枠片部８Ｆの面にそれぞれ凹凸による平面リブ８ｅ、８ｆを形成することにより断面剛性を高め、曲げによる変形を抑制するようにするとともに、前記先端側枠片８Ｄの外側辺に連続して断面略Ｌ字状に屈曲する補強用起立リブ８ｈを形成することにより先端側枠片部８Ｄの断面剛性を高め、曲げ変形及び捻れ変形を抑制するようにした。
【００３２】
さらに、前記平面リブ８ｅ、８ｆを上部枠片部８Ｅおよび下部枠片部８Ｆの部材長手方向に沿って直線状に形成した実験では、先端側枠片部８Ｄと、上部枠片部８Ｅおよび下部枠片部８Ｆとの結合部分に補強の不連続部、すなわち前記補強用起立リブ８ｈや平面リブ８ｅ，８ｆによって補強されていない未補強部ができてしまうことになり、ここで大きく捻れ変形が生じてしまうことが知見された。従って、前述のように、前記補強用起立リブ８ｈを先端側枠片部８Ｄの上部領域及び下部領域まで延長して形成するとともに、前記平面リブ８ｅ、８ｆを先端側枠片８Ｄ側に連続して形成し、前記先端側枠片部８Ｄの上部領域及び下部領域において、前記補強用起立リブ８ｈと平面リブ８ｅ、８ｆとを重なり代Ｓ、Ｓをもって形成するようにした。その結果、先端側枠片部８Ｄと上部枠片部８Ｅおよび下部枠片部８Ｆとの結合部分に補強の不連続部が無くなり、障子２，３をバールによりこじ開けてもクレセント錠１が解錠されるのを防止できるようになった。
【００３３】
〔他の形態例〕
(1)本発明では、バール等によって障子がこじ開けられた際、クレセント７とフック部８Ｇとの接触点（加力点Ｐ）が、起立リブ８ｂと先端リブ８ａとの境界点に至り、少しでもこの境界点を越えると、すなわち基端リブ８ｂの傾斜面にクレセント７の接触点が乗り上がると、前記傾斜面によって室外方向分力ＦＶが発生し、室内障子２が室外側方向に引き寄せられるようにするものである。したがって、前記加力点Ｐが円滑に前記先端リブ８ａを越えて基端リブ８ｂに乗り上げ易いように、図５に示されるように、前記基端リブ８ｂと、先端リブ８ａとのクレセント接触面側屈曲部分において、基端リブ８ｂと先端リブ８ａとに亘る区間に弧面状のすりつけ部８ｉを形成するようにしてもよい。
【００３４】
(2)上記形態例では、平面リブ８ｅ、８ｆの形成態様に関し、先端側枠片部８Ｄ側に連続するように横レ字状に形成するようにしたが、前記上部枠片部８Ｅから先端側枠片部８Ｄ側に連続して形成された平面リブ８ｅと、前記下部枠片部８Ｆから先端側枠片部８Ｄ側に連続して形成された平面リブ８ｆとを前記先端側枠片部８Ｄ内において結合するようにしてもよい。
【００３５】
(3)上記形態例では、上部枠片部８Ｅおよび下部枠片部８Ｆには、平面リブ８ｅ、８ｆのみを形成するようにしたが、前記上部枠片部８Ｅの外側辺に断面略Ｌ字状に屈曲する補強用起立リブを形成するとともに、前記下部枠片部８Ｆの外側辺に断面略Ｌ字状に屈曲する補強用起立リブを形成するようにしてもよい。
【図面の簡単な説明】
【００３６】
【図１】本発明に係るクレセント錠１の斜視図である。
【図２】クレセント受け金具８を示す、(A)は側面図、(B)は正面図である。
【図３】その平面図である。
【図４】本クレセント錠１における解錠不能とするための作用を説明するための段階図である。
【図５】フック部における基端リブ８ｂと先端リブ８ａとのクレセント接触面側屈曲部分にすりつけ部を形成した例である。
【図６】従来のクレセント錠５０の斜視図である。
【図７】そのクレセント受け金具５６の斜視図である。
【図８】障子２，３がこじ開けられた際のクレセント受け金具５６の変形状態を示す斜視図である。
【符号の説明】
【００３７】
１…クレセント錠、２…室内障子、３…室外障子、４…施錠側金物、５…ベース金物、６…クレセント軸、７…クレセント、７Ｂ…環状周壁、８…クレセント受け金具、８Ｇ…フック部、８Ｄ…先端側枠片部、８Ｅ…上部枠片部、８Ｆ…下部枠片部、８ｈ…補強用起立リブ、８ｅ・８ｆ…平面リブ
【図１】
2005113567.tif 000003
【図２】
2005113567.tif 000004
【図３】
2005113567.tif 000005
【図４】
2005113567.tif 000006
【図５】
2005113567.tif 000007
【図６】
2005113567.tif 000008
【図７】
2005113567.tif 000009
【図８】
2005113567.tif 000010